(57)【特許請求の範囲】
【請求項１】
支持表面に取り付けられる耐火性光起電（ＰＶ）屋根板アセンブリであって、
ＰＶアセンブリと、
前記ＰＶアセンブリを取り付けると共に、当該ＰＶアセンブリを支持面の上方に支持する支持構造と
を備え、
前記ＰＶアセンブリは、
上方ＰＶ表面と、下方ＰＶ表面と、上方ＰＶエッジと下方ＰＶエッジと側方ＰＶエッジとを有するＰＶ本体、
上方防火シールド面と下方防火シールド面とを有する防火シールド、
前記ＰＶ本体と前記防火シールドとを互いに接続する接続部材、
を有し、
前記防火シールドは前記下方ＰＶ表面の下方に位置し、
前記ＰＶアセンブリは、更に、前記下方ＰＶエッジから前記防火シールドに沿って前記上方ＰＶエッジを通過して延出する通気路を有し、
前記防火シールドは、前記下方ＰＶ表面から離間して、これらの間に開放領域を形成し、前記通気路は前記開放領域を通過して延出しており、
前記防火シールドは、前記上方ＰＶエッジ及び下方ＰＶエッジに向かう通気入口開口部および通気出口開口部を備え、これら通気入口開口部および通気出口開口部は、前記開放領域を通って延出する前記通気路の各端部に形成され、
前記通気入口開口部を介して前記開放領域に流入した外部からの空気の少なくとも一部は、前記通気出口開口部を介して前記下方防火シールド面の下方を通過する屋根板アセンブリ。
【請求項２】
支持表面に取り付けられる耐火性光起電（ＰＶ）屋根板アセンブリであって、
ＰＶアセンブリと、
前記ＰＶアセンブリを取り付けると共に、当該ＰＶアセンブリを支持面の上方に支持する支持構造と
を備え、
前記ＰＶアセンブリは、
上方ＰＶ表面と、下方ＰＶ表面と、上方ＰＶエッジと下方ＰＶエッジと側方ＰＶエッジとを有するＰＶ本体、
上方防火シールド面と下方防火シールド面とを有する防火シールド、
前記ＰＶ本体と前記防火シールドとを互いに接続する接続部材、
を有し、
前記防火シールドは前記下方ＰＶ表面の下方に位置し、
前記ＰＶアセンブリは、更に、前記下方ＰＶエッジから前記防火シールドに沿って前記上方ＰＶエッジを通過して延出する通気路を有し、前記防火シールドは前記下方ＰＶ表面から離間して、これらの間に開放領域を形成し、前記通気路は前記開放領域を通過して延出しており、
前記ＰＶアセンブリは、前記側方ＰＶエッジをスライド可能に受け入れる溝を有するエッジ部材を有し、
前記防火シールドは、前記エッジ部材に固定される側方防火シールドエッジを有し、
前記上方ＰＶ表面及び下方ＰＶ表面は、上方ＰＶ本体表面及び下方ＰＶ本体平面を形成し、
前記接続部材は、前記防火シールドと前記エッジ部材との少なくとも一方に取り外し可能に接続された前方片を有することにより、前記前方片が前記防火シールドと前記エッジ部材との少なくとも一方に接続されたときに、前記ＰＶ本体平面の少なくとも一つが前記前方片と交差して前記ＰＶ本体を前記エッジ部材間に保持することを補助し、前記前方片が前記防火シールドと前記エッジ部材との少なくとも一方から接続解除されたときに、前記ＰＶ本体は前記エッジ部材間から取り外し可能となる屋根板アセンブリ。
【請求項３】
支持表面に取り付けられる耐火性光起電（ＰＶ）屋根板アセンブリであって、
ＰＶアセンブリと、
前記ＰＶアセンブリを取り付けると共に、当該ＰＶアセンブリを支持面の上方に支持する支持構造と
を備え、
前記ＰＶアセンブリは、
上方ＰＶ表面と、下方ＰＶ表面と、上方ＰＶエッジと下方ＰＶエッジと側方ＰＶエッジとを有するＰＶ本体、
上方防火シールド面と下方防火シールド面とを有する防火シールド、
前記ＰＶ本体と前記防火シールドとを互いに接続する接続部材、
を有し、
前記防火シールドは前記下方ＰＶ表面の下方に位置し、
前記ＰＶアセンブリは、更に、前記下方ＰＶエッジから前記防火シールドに沿って前記上方ＰＶエッジを通過して延出する通気路を有し、前記防火シールドは前記下方ＰＶ表面から離間して、これらの間に開放領域を形成し、前記通気路は前記開放領域を通過して延出しており、
前記ＰＶアセンブリは、更に、前記下方ＰＶ表面と前記上方防火シールド面との間の感熱膨張性材を有し、これにより、火災中に、前記膨張性材が膨張して、前記開放領域の有効体積を減少させ、前記下方ＰＶ表面における燃焼を遅延させる屋根板アセンブリ。
【請求項４】
前記防火シールドは、前記上方ＰＶエッジ及び下方ＰＶエッジに向かう通気入口開口部および通気出口開口部を備え、これら通気入口開口部および通気出口開口部は、前記開放領域を通って延出する前記通気路の各端部に形成され、
前記通気入口開口部を介して前記開放領域に流入した外部からの空気の少なくとも一部は、前記通気出口開口部を介して前記下方防火シールド面の下方を通過する請求項２または請求項３に記載の屋根板アセンブリ。
【請求項５】
耐火光起電（ＰＶ）屋根板アセンブリであって、
傾斜支持表面、
第１上方ＰＶ屋根板アセンブリ及び第２下方ＰＶ屋根板アセンブリ、
前記第１上方ＰＶ屋根板アセンブリ及び第２下方ＰＶ屋根板アセンブリを前記傾斜支持表面に固定する前記第１上方ＰＶ屋根板アセンブリ及び前記第２下方ＰＶ屋根板アセンブリの支持構造、
前記第１上方ＰＶ屋根板アセンブリの下方の位置まで延出する前記第２下方ＰＶ屋根板アセンブリのための通気路
を備え、
第１上方ＰＶ屋根板アセンブリ及び第２下方ＰＶ屋根板アセンブリは、それぞれ
ＰＶアセンブリと、
前記ＰＶアセンブリを取り付けると共に、当該ＰＶアセンブリを支持面の上方に支持する支持構造と
を備え、
前記ＰＶアセンブリは、
上方ＰＶ表面と、下方ＰＶ表面と、上方ＰＶエッジと下方ＰＶエッジと側方ＰＶエッジとを有するＰＶ本体、
上方防火シールド面と下方防火シールド面とを有する防火シールド、
前記ＰＶ本体と前記防火シールドとを互いに接続する接続部材、
を有し、
前記防火シールドは前記下方ＰＶ表面の下方に位置し、
前記ＰＶアセンブリは、更に、前記下方ＰＶエッジから前記防火シールドに沿って前記上方ＰＶエッジを通過して延出する前記通気路を有し、
前記防火シールドは、前記下方ＰＶ表面から離間して、これらの間に開放領域を形成し、前記通気路は前記開放領域を通過して延出しており、
前記防火シールドは、前記上方ＰＶエッジ及び下方ＰＶエッジに向かう通気入口開口部および通気出口開口部を備え、これら通気入口開口部および通気出口開口部は、前記開放領域を通って延出する前記通気路の各端部に形成され、
前記位置は、前記第１上方ＰＶ屋根板アセンブリの前記防火シールドの前記通気入口および通気出口開口部の間であり、これによって、前記第２下方ＰＶ屋根板アセンブリの前記開放領域を介して前記通気路に沿った空気流は、前記第１上方ＰＶ屋根板アセンブリの前記開放領域を通っては流れない屋根板アセンブリ。
【発明の詳細な説明】
【技術分野】
【０００１】
本発明は、カリフォルニアエネルギ委員会５００−００−０３４に基づいて、カリフォルニア州と行われたものである。このエネルギ委員会は、本発明に対するいくつかの権利を有する。
【背景技術】
【０００２】
家庭、企業及び工場に設置された光起電（ＰＶ）システムの広範囲な利用は、一般に望ましい目標とされている。ＰＶシステムの受入、特に個人住宅所有者による受入にとって非常に重要であると考えられる要因がある。それらの要因の主なものとして、設置の容易性とコストと美観とがある。コストと美観との両方に対応する１つの方法は、これまで、光起電屋根板アセンブリを使用することによるものであった。このような屋根板アセンブリによるコストの問題に対応する１つの方法は、好ましくは類似の取り付け技術を使用して、それを従来の屋根板の代用品として使用する方法である。美観の問題は、従来の屋根板、又は屋根タイルに同様の構造と寸法を有する屋根板、又は屋根材の形状の光起電アセンブリを使用し、屋根やその他の建築物表面に対して美的に優れた外観を与えるのに効果的な色彩と反射特性とを使用することによって対処され始めている（例えば、米国特許第５１１２４０８号明細書参照）。しかしながら、光起電屋根板アセンブリは期待されていた程には広く受け入れられておらず、その理由は、１）屋根板として建築物の屋根に一体的に取り付けられたＰＶアセンブリは高い温度で動作するため、温度とＰＶ効率との間の反比例の関係からＰＶ電気出力の低下と、屋根表面の温度の上昇をもたらすこと、２）その同じ高い作動温度が保証ＰＶ作動温度に近づくか、それを超えて、ＰＶ屋根板の寿命を短くすること、３）一部の製品では屋根デッキの下方で屋根板同士を電気的接続することを要することから、屋根デッキに穴をあける必要があるために水漏れの可能性が大きくなること、４）屋根の非ＰＶ領域とＰＶ屋根材とが美観に良くマッチングしないこと、５）一部のＰＶ屋根材は、アモルファスシリコンＰＶ技術に限られており、これには低い動作効率の問題があること、そして、６）ＰＶ屋根板の価値は、通常、そのＰＶの電力出力と、その製品が従来の屋根材に取って代わった場合における、従来の屋根材の材料価値との和に限定されてきたこと、である。
【０００３】
建築物の屋根の上で光起電モジュールを使用することに関わる懸念の１つは、光起電モジュールは発火の原因の一つとなりうり、建築物内部の火災に対する１つの燃料源となりうることである。この知見により、建築物コード要件を満たすべく、クラスＣグレードのＰＶモジュールの下に、アスファルト屋根板などのクラスＡグレードの屋根システムを設置している製造業者がいる。また、このグレードを維持するために、積層物の両面（むしろ、裏面のTedlar）にガラスを備えるＰＶモジュール構造を使用している製造業者もいる。しかし、この方法は、従来のコンクリート製屋根葺き屋根板と一体化されることを意図するＰＶモジュールには使用されていない。これらのアプローチは、何れも放射熱がＰＶモジュールから屋根へ伝達するのを防ぐことはない。
【０００４】
【特許文献１】米国特許第３７６９０９１号明細書
【特許文献２】米国特許第４００１９９５号明細書
【特許文献３】米国特許第４０４０８６７号明細書
【特許文献４】米国特許第４１８９８８１号明細書
【特許文献５】米国特許第４３２１４１６号明細書
【特許文献６】米国特許第５２３２５１８号明細書
【特許文献７】米国特許第５５７５８６１号明細書
【特許文献８】米国特許第５５９０４９５号明細書
【特許文献９】米国特許第５９６８２８７号明細書
【特許文献１０】米国特許第５９９０４１４号明細書
【特許文献１１】米国特許第６０６１９７８号明細書
【特許文献１２】米国特許第６１１１１８９号明細書
【特許文献１３】米国特許第６５８４７３７号明細書
【特許文献１４】米国特許第６６０６８３０号明細書
【特許文献１５】米国特許出願公開ＵＳ２００１／００５０１０１号明細書
【特許文献１６】米国特許出願公開ＵＳ２００３／０１５４６８０号明細書
【特許文献１７】米国特許出願公開ＵＳ２００３／０２１３２０１号明細書
【特許文献１８】米国特許出願公開ＵＳ２００３／０２１７７６８号明細書
【特許文献１９】米国特許出願公開ＵＳ２００４／００３１２１９号明細書
【特許文献２０】欧州特許出願公開ＥＰ１０３５５９１Ａ１号明細書
【特許文献２１】国際特許出願ＷＯ９６／２４０１３号明細書
【発明の開示】
【発明が解決しようとする課題】
【０００５】
本発明は、傾斜した屋根等の支持表面に対して、簡単な方法で直接的に、且つ経済的に取り付けることができる、例えば、従来の屋根タイル等と良好に一体化して外観の優れた構造を作り出すことが可能な耐火ＰＶ屋根板アセンブリに関する。このようなＰＶ屋根板アセンブリは、屋根板敷き屋根表面、又はその他の撥水屋根表面上にＰＶ屋根板アセンブリを取り付ける必要性を無くするべく、従来の屋根板の代替品として構成することができると共に、少なくとも部分的にＰＶ本体の下方に防火シールドを使用することにより、クラスＡ防火等級を達成するように構成することも可能である。また、このようなＰＶ屋根板アセンブリはＰＶ本体の作動温度を低く抑えることにより、潜在的なエネルギ変換効率を改善するべく、ＰＶ本体の下方に通気路を設けるように構成することも可能である。
【課題を解決するための手段】
【０００６】
本発明の第１の態様は、支持表面への取り付け用の耐火ＰＶ屋根板アセンブリに関する。この屋根板アセンブリは、ＰＶアセンブリと、支持／交互係合アセンブリとを有する。前記ＰＶアセンブリは、上方ＰＶ表面、下方ＰＶ表面、上方ＰＶエッジ、下方ＰＶエッジ、そして側方ＰＶエッジを備えるＰＶ本体を有する。更に、前記ＰＶ本体は、上方防火シールド表面と下方防火シールド表面とを備える防火シールドと、前記ＰＶ本体と前記防火シールドとを互いに接続する接続部材とを有する。前記防火シールドは、前記ＰＶ表面の下方に位置する。支持構造により、前記ＰＶアセンブリを支持表面に取り付け、前記ＰＶアセンブリをこの支持表面の上方に支持する。
【０００７】
いくつかの実施例において、前記ＰＶ屋根板アセンブリは、前記下方ＰＶエッジから前記防火シールドに沿って前記上方ＰＶエッジを越えて延出する通気路を備えることができる。前記支持構造は、前記ＰＶアセンブリを支持表面の上方に支持する縦支持部材と、前記上方ＰＶエッジに向けて配置された上方インタロック部材と、前記下方ＰＶエッジに向けて配置された下方インタロック部材とを備える支持／相互係合アセンブリを含む。１つのＰＶ屋根板アセンブリの前記上方インタロック部材は、隣接するＰＶ屋根板アセンブリの前記下方インタロック部材に相互係合可能である。前記上方、及び下方防火シールド表面の一方又は両方に沿って通気路を延出させることができる。前記ＰＶ本体は、このＰＶ本体の取り外しを容易にするために、前記接続部材にスライド可能に取り付けることができる。前記防火シールドは、好ましくは、防火シールドエッジ、上方防火表面及び下方防火表面を備えるスチール等のシート材を含み、このシート材は寸法が３０．５ｃｍ×３０．５ｃｍ×５．７ｃｍで重量が２５００ｇ＋／−５０ｇで、５３７℃−８１５℃の温度で燃焼している木材の燃焼ブロックを構造的に支持することが可能な不燃性材料である。前記上方インタロック部材及び前記下方インタロック部材の選択された何れか一方が、タブ幅を有するタブを含み、前記上方インタロック部材及び前記下方インタロック部材の他方が、スロット幅を有するスロットを含み、前記スロット幅が、１つの屋根板アセンブリの隣接する屋根板アセンブリに対する側方調節を可能にするべく前記タブ幅より所定距離大きく、前記所定距離が前記下方ＰＶエッジの長さの少なくとも約２０％となるように構成することができる。
【０００８】
本発明の第２の態様は、支持表面への取り付け用の耐火性光起電（ＰＶ）屋根板アセンブリであって、ＰＶアセンブリと、支持構造と通気路とを備えるものに関する。前記ＰＶアセンブリは、上方ＰＶ表面と、下方ＰＶ表面と、上方ＰＶエッジと、下方ＰＶエッジとを備えるＰＶ本体を含み、前記下方ＰＶ表面は防火表面を含む。前記支持構造は、前記ＰＶアセンブリを支持表面に取り付け、前記ＰＶアセンブリをこの支持表面の上方に支持する。前記通気路は、前記下方ＰＶエッジから前記下方ＰＶ表面に沿って前記上方ＰＶエッジを越えて延出している。いくつかの実施例において、前記上方ＰＶ表面及び前記下方ＰＶ表面は防火ガラス層を含むことができる。第１と第２の前記ＰＶアセンブリは、それらの支持構造によって傾斜した支持表面に対して固定することができる。前記第２下方ＰＶ屋根板アセンブリのための前記通気路は、前記第１上方ＰＶ屋根板アセンブリの下方の位置にまで延出するものとすることができる。前記第１上方ＰＶ屋根板アセンブリは、そのＰＶ下方エッジにおいて前記第１上方ＰＶアセンブリに取り付けられた下方に延出する雨よけを備えることができ、この雨よけは、前記第２下方ＰＶ屋根板アセンブリの前記ＰＶ本体の前記上方ＰＶ表面に有効に接触する。
【０００９】
本発明の第３の態様は、第２下方ＰＶ屋根板アセンブリの上方ＰＶエッジが第１上方屋根板アセンブリの下に位置する状態で、傾斜支持表面に固定された第１上方ＰＶ屋根板アセンブリ及び第２下方ＰＶ屋根板アセンブリを含む、耐火性光起電（ＰＶ）屋根板アセンブリに関する。前記第２下方ＰＶ屋根板アセンブリのための前記通気路は、前記第１上方ＰＶ屋根板アセンブリの下方の位置にまで延出する。
【００１０】
前記第１上方ＰＶ屋根板アセンブリが、そのＰＶ下方エッジにおいて前記第１上方ＰＶアセンブリに取り付けられた下方に延出する雨よけを備えることにより、この雨よけが、前記第２下方ＰＶ屋根板アセンブリの前記ＰＶ本体の前記上方ＰＶ表面に有効に接触する実施例がある。
【００１１】
本発明の第４の態様は、支持表面に取り付けられる光起電（ＰＶ）屋根板アセンブリであって、ＰＶアセンブリと、支持／相互係合アセンブリとを備えるものに関する。前記ＰＶアセンブリは、ＰＶ本体と、このＰＶ本体が取り付けられる取り付けフレームとを有する。前記支持／相互係合アセンブリは、前記ＰＶアセンブリに取り付けられ、前記ＰＶアセンブリを支持表面の上方に支持する縦支持部材、前記上方ＰＶエッジに向けて配置された上方インタロック部材と、前記下方ＰＶエッジに向けて配置された下方インタロック部材とを備える。１つのＰＶ屋根板アセンブリの前記上方インタロック部材は、隣接するＰＶ屋根板アセンブリの前記下方インタロック部材に相互係合可能である。前記上方インタロック部材及び前記下方インタロック部材のいずれか選択された一方が、タブ幅を有するタブを含み、前記上方インタロック部材及び前記下方インタロック部材の他方が、スロット幅を有するスロットを含む。前記スロット幅は、１つの屋根板アセンブリの隣接する屋根板アセンブリに対する側方調節を可能にするべく前記タブ幅より所定距離大きい。前記所定距離は、前記下方ＰＶエッジの長さの少なくとも約２０％である。
【００１２】
本発明の第５の態様は、支持表面に取り付けられる光起電（ＰＶ）屋根板アセンブリであって、ＰＶアセンブリと、支持体と支持／相互係合アセンブリとを備えるものに関する。前記ＰＶアセンブリは、上方ＰＶ表面と、下方ＰＶ表面と、上方ＰＶエッジと、下方ＰＶエッジと、側方ＰＶエッジとを備えるＰＶ本体を有し、前記上方ＰＶエッジ及び前記下方ＰＶエッジはＰＶ本体平面を形成する。更に、前記ＰＶアセンブリは、前記ＰＶ本体が取り付けられる取り付けフレームを備え、この取り付けフレームはエッジ部材を有し、これらエッジ部材は前記側方ＰＶエッジをスライド可能に受け入れるための溝を含む。更に、前記取り付けフレームは、前記エッジ部材に取り付け可能に接続される前方片を有し、これにより、前記ＰＶ本体表面の少なくとも１つが前記前方片に交差して、前記前方片が前記エッジ部材に固定された時に、ＰＶ本体を前記エッジ部材間に保持する。前記前方片を前記ＰＶ本体平面から離間させた時、前記ＰＶ本体は、前記エッジ部材間から取り外し可能である。支持構造によって前記ＰＶアセンブリを支持表面に取り付け、このアセンブリを前記支持表面の上方に支持する。前記支持構造体が、前記ＰＶアセンブリを前記支持表面の上方に支持する縦支持部材と、前記上方ＰＶエッジに向けて配置された上方インタロック部材と、前記下方ＰＶエッジに向けて配置された下方インタロック部材とを備える支持／相互係合アセンブリを含み、１つのＰＶ屋根板アセンブリの前記上方インタロック部材は隣接するＰＶ屋根板アセンブリの前記下方インタロック部材と相互係合可能である実施例もある。
【発明を実施するための最良の形態】
【００１３】
本発明の種々の特徴及び利点は、好適実施例が貼付の図面を参照して詳細に記載されている以下の説明から明らかになるであろう。
【００１４】
図１は、ルーフィングの支持表面１１を備えるルーフィングシステム１０を図示し、支持表面１１は防水／放射バリア層１２を含む。前記層１２は、Elk Technologies社から入手されるVersaShield（登録商標） SB2S Fire Barrier Fabricなどの従来の下敷きとすることができる。一連の側方に延出する目板１４が層１２の上方で支持表面１１に取り付けられている。支持表面１１は、カリフォルニア  アーバインのMonierLifetile LLCによって販売されているMonierLifetile等の従来のコンクリートタイル１６と、光起電（ＰＶ）屋根板アセンブリ１８とにより覆われる。本出願での使用において、屋根板は、壁又は傾斜屋根、又は、その他の非水平表面を、１つの屋根板の下方端部が隣接する屋根板の上方端部にオーバラップした状態で覆うために使用される。
【００１５】
図２及び３は、図１に図示した屋根板アセンブリを拡大した上方斜視図及び下方斜視図である。各屋根板アセンブリ１８は、上方表面２２及び下方表面２４と、上方エッジ２６と、下方エッジ２８と、第１側方エッジ３０と第２側方エッジ３２とを備える屋根板本体２０を有する。更に、各屋根板アセンブリ１８は、上方エッジ２６と下方エッジ２８との間に延出する一対の支持ブラケット３４を有する。支持ブラケット３４は、中間部４０によって接続された上方端部３６及び下方端部３８を有する。上方端部３６は、下方表面２４から離間して延出する上方支持部４２を有する。この上方支持部４２は、ルーフィング釘又はその他の適当なファスナ４６を使用して、支持ブラケット３４を屋根板本体２０と共に支持表面１１に固定するために使用される上方支持表面係合部４４を備える。前記ファスナの代わりに、又は前記ファスナに加えて、接着剤の使用等、その他の固定システムを使用することも可能である。屋根板本体２０の上方表面２２は、上方端部３６に揃えられた上方エッジ２６に沿ってクッション部材４７を備える。下方端部３８は、屋根板本体２０の下方端部３８に係合するクリップ４８を有する。クリップ４８がスチール製等の場合には、ゴムパッドなどの保護材、又は、ブチルタイプなどの軟質ポリマー材をクリップ４８と屋根板本体２０との間に配置してもよい。支持ブラケット３４の残りの部分は、例えば、亜鉛メッキ鋼、耐候性ポリマー、又は耐候性コーティングを備えるポリマー等から形成することができる。
【００１６】
図５−８は、第１の上方屋根板アセンブリ５０と支持表面１１に取り付けられた第２の下方屋根板アセンブリ５２とを図示し、上方屋根板アセンブリ５０の下方端部５４は、下方屋根板アセンブリ５２の上方端部５６にオーバラップしている。支持ブラケット３４の下方端部３８は、下方表面２４から下方に離間して延出する下方支持部５８を有する。クリップ４８が、一対のタッピンねじ５９、又はその他の適当な手段によって前記下方支持部５８に固定されている。前記下方支持部５８は、下方屋根板アセンブリ５２の上方エッジ２６に沿ってクッション部材４７上に配設された一対の支持部材６０を有する。また、前記部分５０は、開口部６４が形成された下方に延出するタブ６２を備えている。前記開口部６４は、支持ブラケット３４の上方端部３６から延出する係合部６５と係合するようにサイズ形成され配設されている。
【００１７】
支持ブラケット３４の上方端部３６によって、下方屋根板アセンブリ５２の屋根板本体２０の上方エッジ２６を支持表面１１の上方の第１距離６６に位置決めし、これにより、それらの間に第１空隙６８を形成する。上方屋根板アセンブリ５０の屋根板本体２０の下方エッジ２８は、下方屋根板アセンブリ５２の屋根板本体２０の上方エッジ２２から離間してそれらの間に第２空隙７０を形成している。上方屋根板アセンブリ５０の下方に開放領域７２が形成されて第１空隙６８及び第２空隙７０を流体接続している。
【００１８】
側方に隣接する屋根板アセンブリ１８の第１側方エッジ３０と第２側方エッジ３２との間で流れる可能性がある雨水を回収するためにパン水切り部材７４（図７−９参照）が使用されている。このパン水切り部材７４は、基部７６と、この基部から第１側方エッジ３０と第２側方エッジ３２との間に上方に延出するセパレータ７８とを有する。前記基部７６は、セパレータ７８の両側に、第１水案内部８０及び第２水案内部８２を形成している。このパン水切り部材は、その上方のタイルの重量と、その上方のタイルの位置を保持するファスナにより発生する力とによって位置固定される。セパレータ７８を使用することにより、風に吹かれる物質、特に雨が、基部７８の第１水案内部８０及び第２水案内部８２内に確実に回収されることになる。前記第２空隙７０内には、通気性侵入バリア８４（図５、６及び８参照）が配設され、空気の開放領域７２内への流通を可能とし、これによって、屋根板本体２０の下面の冷却を補助し、湿気の蓄積を防止しながら、風で運ばれる雨や昆虫の侵入、鳥の巣の形成、その他の好ましくない事象を防止する。好ましい通気性侵入バリア８４としては、Mishawaka，INのCor-A-Vent Inc.によってCor-A-Ventとして販売されている孔あきプラスチックブロック材がある。ミネアポリス、MNのBellcomb Technologies社によって販売されているポリカーボネートハニカムは、耐久性があり、防火性が高いため、好適であるかもしれない。
【００１９】
出荷及び設置中に、前記ブラケットを位置保持するために、支持ブラケット３４と屋根板本体２０の下方表面２４との間に何らかのタイプの接着剤を使用することが可能である。現時点において好適な接着剤は、ブチルタイプのものであり、これは、全体としてやわらかさと粘着性を維持する。パン水切り部材７４は、２４ゲージ亜鉛メッキ鋼等の適当な材料から形成することができる。
【００２０】
図１０−１２は、特に、MonierLifetileブランドのコンクリートタイル１６として使用されるように形成された図５−９の水切りパン部材７４の別実施例を類似の参照番号で図示している。これらの図から理解されるように、この実施例の水切りパン部材７４のコーナーには切り欠き８６が存在する。
【００２１】
図１３及び１４は、図２−４の屋根板アセンブリの別実施例を図示し、類似の部材は類似の参照番号で示されている。主な相違点は、（前の実施例の下方端部３８に対して）開口部６４が支持ブラケット３４の上方端部３６に形成されていることと、係合部６６が、支持ブラケット３４の下方端部３８の一部であることにある。
【００２２】
設置は、コンクリートタイル１６を使用する場合、従来のコンクリートタイル屋根設置と同様に行うことができ、コンクリートタイル１６は、屋根の低部から上部に向かう行（列）において左右（屋根に面する全ての方向）に配置される。コンクリートタイル１６は、通常、目板１４上にフックされるリップ（図示せず）を備える。コンクリートタイル１６は、一般に、それぞれの列がその下の列に対してタイル幅の半分、オフセットされた状態で、千鳥配置される。ＰＶ屋根板アセンブリ１８が設置される際、下方の右側のタイル１６を、コンクリート鋸によって切り欠くことも可能である。屋根板アセンブリ１８のエッジが下のタイルの中間に来る場合には、隣接する全タイルの下方の舌部を切り取ることも可能である。そうでない場合には、切断エッジが下方の二枚のタイルの中間にほぼ位置合わせされるようにタイルを半分にカットすることも可能である。次に、パン水切り部材７４を、隣接するコンクリートタイルの下方に、セパレータ７８をこのタイルの側方エッジに可能な限り近づけた状態で配置する。次に、ＰＶ屋根板アセンブリアレイの全幅を、パン水切り部材７４のセパレータ７８のための余地を含めてＰＶ屋根板アセンブリ１８間の空隙を含めて測る。各ＰＶ屋根板アセンブリ１８は、好ましくは、４枚等のコンクリートタイルに亘って延出するように構成される。屋根板アセンブリ１８のアレイの左側において、半分のタイル又は一枚のタイル（上の舌部をカットせず）が、パン水切り部材７４と、セパレータ７８とをこのコンクリートタイル１６のエッジに可能な限り近づけた状態で配設される。次に、二つのパン水切り部材７４の間の距離が正しい距離であることを確認する。これが行われると、第１の下部列の支持ブラケット３４を、ファスナ４６を正しい間隔で支持表面１１に押し込んで設置する。第１列の支持ブラケット３４は、コンクリートタイル１６の上方エッジに対して配置された支持部材６０を有する。次に、第１列のＰＶ屋根板アセンブリ１８を、第１列の支持ブラケット３４と相互係合させる。パン水切り部材７４を、列の各ＰＶ屋根板アセンブリ１８の間に配置する。第１下方列のＰＶ屋根板アセンブリ１８が完了すると、残りのコンクリートタイル１６を従来のように設置する。その後、次の列のコンクリートタイル１６の配設を開始する。ＰＶ屋根板アセンブリの区域に達すると、各ブラケット３４の支持部材６０がブラケット３４の下側の上方端部３６に相互係合し、クッション部材４７が上方エッジ２６で屋根板本体２０に固着されることを除いて、上述したのと同様に進められる。この設置プロセス中、屋根板アセンブリ１８は、互いに配線され、設置ジャンパが全ての金属パーツ（パン水切り部材７４と支持ブラケット３４）の間に設けられる。家のすべてのトイがＰＶ屋根板アセンブリ１８の下方に通され、１つのシールされた出口ボックスを介して支持表面１１に通される。
【００２３】
上述した実施例に対してその他の改良及び改変を行うことが可能である。例えば、二つの支持ブラケット３４よりも少数又は多数の支持ブラケットを使用することが可能である。各支持ブラケットは、中間部を備えないものであってよい。又、１つの支持ブラケットが１つ以上の上方端部３６及び／又は下方端部３８を備えるものであってよい。上述した以外の設置方法も使用可能である。
【００２４】
図１５−２７は、本発明の更に別の実施例を示し、類似の部材は類似の参照番号で示している。これらの実施例において、ＰＶ屋根板アセンブリ１８は、屋根板本体２０の下方表面２４の反対側に、防火シールド９０（図１７及び２０参照）が使用されている。図１５は、上方表面２２の作用領域９２が二列の四角形で示されているＰＶ屋根板アセンブリ１８の上方斜視図である。前記作用領域９２の上方の開放非作用領域は屋根板アセンブリ１８が重なって配設される。図１６は、ルーフィングシステムの一部としての屋根板敷きオーバラップ構造の第１屋根板アセンブリ及び第２屋根板アセンブリの平面図である。電線９４（図１６に図示）が、第１屋根板アセンブリ５０の側方エッジ３０及び側方エッジ３２から延出している。
【００２５】
ＰＶ屋根板アセンブリ１８は、ＰＶアセンブリ９５と、支持／相互係合するアセンブリ９７とを有する。アセンブリ９７は、ＰＶアセンブリ９５を支持表面１１上に支持するのに使用される。また、アセンブリ９７は、隣接するＰＶ屋根板アセンブリ１８同士を互いに相互係合するためにも使用される（図１７参照）。ＰＶアセンブリ９５は、屋根板本体２０と、防火シールド９０と、ここで接続部材９４と称される部材とを有する。この接続部材９４（図１７及び１８参照）は、前方片１０４によってエッジ部材９６及びエッジ部材９８の下方端部１００及び下方端部１０２で互いに固定された相互係合可能なエッジ部材９６とエッジ部材９８とを有する。一対のネジ１０６が前方片１０４を貫通して、この前方片１０４をエッジ部材９６及びエッジ部材９８に固定する。屋根板本体２０をダメージから保護するために、発泡テープ片１０８が、前方片１０４と下方エッジ２８との間に配設される。低摩擦スライドテープ１１０が屋根板本体２０の第１側方エッジ３０及び第２側方エッジ３２に取り付けられている。このスライドテープによって覆われた第１側方エッジ３０及び第２側方エッジ３２は、第１エッジ部材９６及び第２エッジ部材９８内に形成された溝１１２と溝１１４（図２１及び２２参照）内に位置している。スライドテープ１１０は、図２４を参照して後述するように、エッジ部材９６及びエッジ部材９８の溝１１２と溝１１４内での屋根板本体２０の第１スライドエッジ３０及び第２スライドエッジ３２のスライド係合を促進する。防火シールド９０が、この防火シールド９０を貫通してエッジ部材９６及びエッジ部材９８内へと延出するネジ１２０によって、エッジ部材９６及びエッジ部材９８の下方端部１００及び下部端部１０２と上方端部１１６及び上方端部１１８とに固定される。
【００２６】
支持／相互係合アセンブリ９７は、ＰＶアセンブリ９５を支持表面１１上で縦方向に支持する縦支持構造体１２２を備える。この縦支持構造１２２は、一対のテーパ状の中央支持体１２４を備える。この中央支持体１２４は、上方エッジ２６と下方エッジ２８との間に延出するラインに沿って延出している。このラインに沿った中央支持体１２４の長さは、好ましくは上方エッジ２６及び下方エッジ２８の間の距離の少なくとも５０％である。中央支持体１２４は、ほぼＵ形状の断面形状を有し、各端部に取り付けタブ１２６を備えている。中央支持体１２４の上方端部１２８は、図２４及び２５に図示されているように、防火シールド９０に形成された開口部１３０を貫通している。取り付けタブ１２６は、図２６に図示されているようにリベット１３２によって防火シールド９０に固定されている。一対の弾性の（典型的にはゴム製の）パッド１３４が、各中央支持体１２４の上方端部１２８と、下方表面２４との間に配設される。中央支持体１２４は、防火シールド９０とこの防火シールドに取り付けられた種々の構造体とを支持するだけではなく、パッド１３４との作用により、例えば、屋根板本体２０が踏みつけられた際に、この本体が過度に撓むことを防止する効果がある。
【００２７】
更に、縦支持構造体１２２は一対の上方の取り付けブラケット１３６を有し、この各ブラケットは支持表面１１に対向して配置されると共に釘、ネジ、及び接着剤を含む従来式又は非従来式の構造により、この支持表面に固定可能である。更に、取り付けブラケット１３６は直立部分１４０を備え、これに防火シールド９０の上向きエッジ１４２が、リベット１４４によって固定されている。更に、直立部分１４０はその内部に上方エッジ２６が収納されるほぼＵ形状のクリップ１４６を備えている。クリップ１４６は、屋根板本体２０がエッジ部材９６及びエッジ部材９８の間でどこまで挿入されるかを規制する。したがって、ＰＶアセンブリ９５は、主に、防火シールド９０に係合すると共に、中央支持体１２４と取り付けブラケット１３６とによって支持される。
【００２８】
また、支持／相互係合アセンブリ９７は上方インタロック部材及び下方インタロック部材を備えている。上方の取り付けブラケット１３６は、直立部分１４０から延出するタブ１４８を備える。このタブ１４８が前記上方インタロック部材として作用する。下方インタロック部材１５０は、本体１５２の両端部、防火シールド９０を通過してエッジ部材９６及びエッジ部材９８内に延出するネジ１５６を使用して、防火シールド９０の下方表面１５４の近傍に固定されている長手Ｌ形状本体１５２を備えている。この本体１５２は、タブ１４８を受けるように寸法形成された多数のスロット１５８、スロット１５９、スロット１６０を有する。スロット１５８、スロット１５９、スロット１６０の全幅は、タブ１４８の幅に対して所定の距離だけ大きく形成されている。したがって、屋根板アセンブリ１８を、隣接する屋根板アセンブリに対して所定の位置範囲に亘って千鳥配置することが可能である。このような構造は、例えば、屋根板アセンブリ１８が、寄せむね屋根の輪郭に沿うことを可能にするために重要である。上述の実施例では、前記所定距離は下方エッジ２８の長さの少なくとも約２０％である。
【００２９】
図２０及び２６に図示されるように、通気路１６２が下方エッジ２８の前方片１０４から、防火シールド９０の通気入口開口部１６４を通って、防火シールド９０の上方表面１６８と屋根板本体２０の下方表面２４との間に形成された開放領域１６６を通って延出している。通気路１６２は、防火シールド９０の通気出口開口部１７０を通り、更に、防火シールド９０の上向きエッジ１４２の間で開放領域１６６から出る。次に、通気路１６２は、上方エッジ２６を通過し、隣接する上流側のＰＶ屋根板アセンブリ１８の防火シールド９０の下方表面１５４の下方の領域１６９に入る。通気路１６２に沿った空気流は、屋根板本体２０を冷却することによりエネルギ変換効率を増大させることに役立つ。支持構造１１の傾斜は、煙突作用によって空気を通気路１６２に沿って引き込むことに役立つ。開放領域１６６を通過する空気の全部、又は、少なくともその実質的に全部分が、ルーフィングシステム１０の別のＰＶ屋根板アセンブリ１８の開放領域をまだ通過しているわけではないということを認識することが重要である。空気が１つのアセンブリ１８の通気出口開口部１７０を通過した後、この空気は上流側アセンブリの防火シールド９０の下方を通過することにより、新鮮で比較的低温の空気だけがアセンブリ１８の通気入口開口部１６４に入ることになる。
【００３０】
ＰＶ屋根板アセンブリが、支持表面１１に対して、コンクリートタイル１６と同様に、水除去屋根板として作用することが重要である。雨除去の特徴は、上方屋根板アセンブリ５０が下方屋根板アセンブリ５２に対して、通常、約７．５ｃｍ（３インチ）オーバラップして提供される。また、この雨除去の特徴は、相互係合可能な第２エッジ部材９８を、相互係合可能な第１エッジ部材９６の下方に配置することによって、側方に隣接する屋根板アセンブリ１８との間にも提供される。また、図２１及び図２２に図示されているように、エッジ部材９６及びエッジ部材９８は、側方エッジ３０及び側方エッジ３２と溝１１２と溝１１４との間に滲み出る可能性のある水を回収するための内部ドレーン通路１７３を備えている。
【００３１】
図２６から理解されるように、第１の上方屋根板アセンブリ５０の前方片１０４と、第２下方屋根板アセンブリ５２の屋根板本体２０との間に空隙１７２が存在する。この空隙１７２は、通気路１６２の最初の部分として作用する。但し、少なくとも、雨が空隙１７２を介して、屋根板アセンブリ５２の上方エッジ２６を通過し、支持表面１１上へと吹き込まれたり、その他の方法で通過したりすることを防止することが望ましい。この防止のために、防火シールド９０の下方表面１５４に隣接するＰＶ屋根板アセンブリの全幅に沿って、雨よけ１７４が取り付けられている。この雨よけ１７４は、いずれかの端部に形成された穴を介して、防火シールド９０を通ってエッジ部材９６及びエッジ部材９８内に通過するネジ１２０により固定される。図２６において、弾性パッド１７６が、雨よけ１７４の下方脚１７８と屋根板本体２０の上方表面２２との間に配設される。但し、多くの場合、又は大半の場合、バッド１７６を省略し、下方脚１７８の遠端部１８０が上方表面２２に有効に接触するように、即ち、雨よけ１７４が上方表面２２に接触するか、若しくは、有効な雨よけとして作用可能なように上方表面２２に対して十分に近づけて、この雨よけ１７４を構成することが望ましい。これによって、雨よけ１７４と上方エッジ２６との間で支持表面１１上に回収される可能性のある少量の雨が雨よけ１７４と上方表面２２との間でこの上方表面２２に沿って沁み落ちながら、雨よけ１７４と上方表面２２との間に吹き込まれるのを防止するのに十分なシーリングが行われることとなる。
【００３２】
この構成の利点の一つは、単に、ネジ１０６を取り外すことによって、前方片１０４をエッジ部材９６及びエッジ部材９８から係合解除することができ、単にそれを図２４に示されるようにスライドして取り外すことによって、エッジ部材９６及びエッジ部材９８間から取り外すことが可能であることにある。必要な場合には、防火シールド９０に形成された通気出口開口部１７０を通して電気接続部にアクセスして、それによって、ＰＶ屋根板アセンブリ１８を隣接するアセンブリ１８から接続解除し、屋根板本体２０を完全に取り外すことができる。したがって、検査、テスト、クリーニング、修理又は交換の少なくとも一つ、或いは二つ以上の目的のために、屋根板本体２０をＰＶ屋根板アセンブリ１８のアレイから取り外すことが可能となる。
【００３３】
防火シールド９０を使用することにより本構成のもう一つの利点がある。防火シールド９０を備えるＰＶ屋根板アセンブリ１８の構造は、従来のＰＶ屋根板アセンブリに比べて防火安全性において複数の改善点がある。
【００３４】
従来の屋根板本体２０は、通常、下方表面２４へと延出する可燃性ポリマー含有基材をカバーする防火、ガラス製上方表面２２を備える。火災時には、屋根板本体２０は、通常、下方表面２４において燃焼性ガスを発生する。防火シールド９０を使用しなければ、酸素がこれらの燃焼性ガスに対して利用可能となり、それによって屋根板本体２０が急速に燃え広がってしまう。防火シールド９０を使用すれば、開放領域１６６と下方表面２４とに対する酸素の自由な流通を防止することによって、燃焼速度が減速される。次に、これらの可燃性ガスは、それらが通気入口開口部１６４及び通気出口開口部１７０を通過することによって、開放領域１６６から離間するように導かれる。エッジ部材９６及びエッジ部材９８は、これらのエッジ部材を超えて開放領域１６６に出入りする空気又はその他のガスの流れを防止する空気流バリアとして作用する。通気入口開口部１７０を通過する導入されたガスは、一般に、側方の屋根板アセンブリ１８の上方又はそれに向かって燃焼する。通気出口開口部１７０を通過する可燃性ガスは、防火シールド９０と支持表面１１との間の領域１６９において利用可能な酸素が比較的少ないことから、よりゆっくりとした速度で燃焼する。従って、防火シールド９０は、屋根板本体２０の燃焼速度を遅延させることによって火災安全性を促進する効果がある。
【００３５】
ルーフィングシステムの火災等級を決定するために使用される従来のテストは、寸法が３０．５ｃｍ×３０．５ｃｍ×５．７ｃｍ（１２”×１２”×２．２５”）で重量が２５００ｇ＋／−５０ｇで、５３７℃−８１５℃（１０００°Ｆ−１５００°Ｆ）の温度で燃焼している木材の燃焼ブロックを使用する。この木材の燃焼ブロックをルーフィング構造上に載置し、そのルーフィング表面がその構造的一体性を維持するか否かを調べる。防火シールド９０は、好ましくは、このテストをパスするように構成される。一好適実施例において、防火シールド９０は、少なくとも０．６１ｍｍ（０．０２４”）の厚みのスチールシートである。
【００３６】
前記防火シールド９０の有効性を維持するのに役立つべく、下方表面２４の面積に対する第１空隙６８上の上方の防火表面の面積の比率は、少なくとも０．７〜１．０であることが好ましい。更に、防火シールド９０が、この防火シールドから支持表面１１への熱エネルギの放射が最小となるように、放射バリアとして作用することが好ましい。防火シールド９０を金属板材から形成することによって、本質的に望ましい放射バリア特徴を提供することが可能である。
【００３７】
図２７は、防火シールド９０Ａと下方表面２４との間に小さな空隙が形成されているか、若しくは、空隙が形成されていない別実施例の図２２のものに類似の拡大断面図である。この実施例では、防火シールド９０Ａは通気入口開口部１６４を備えず、通気路１６２が防火シールドの下方表面１５４の下方を通過する。この実施例は図１５−２６の実施例ほどのレベルの屋根板本体２０の冷却を提供するものではないが、防火シールド９０の上方表面６８上に高価な感熱膨張性ペイントを設ける潜在的必要性を無くするものである。即ち、図１５−２６の大型空隙実施例で、防火シールド９０の上方表面６８上の感熱膨張性ペイント等の開放領域１６６をブロックする、又は、満たすものを使用することが望ましいか、若しくは必要であるかもしれない。従って、図１５−２６の大型空隙実施例の場合における低い作動温度と高い発電効率と、図２７の小型空隙実施例の場合における高い作動温度と低い発電効率との間にはトレードオフが存在することになる。
【００３８】
これらの種々の構成要素は、屋外環境用に適した従来型又は非従来型の材料から形成することができる。例えば、エッジ部材９６及びエッジ部材９８のために、陽極酸化処理又はペイント仕上げを有する押出しアルミニウムを使用することができ、中央支持体１２４、取り付けブラケット１３６及び下方インタロック部材１５０のために亜鉛鍍金、ガルバニューム又はアルミナイズド鋼を使用することができ、他方、陽極酸化処理又はペイント仕上げを有するアルミニウムシートを雨よけ１７４用に使用することが可能である。
【００３９】
図２８−３２は、ＰＶ屋根板アセンブリ１８の別実施例を示し、類似の部材は類似の参照番号で示されている。この実施例は、図１５−２７の実施例のようには防火シールドを使用しないので、より低コストの代替構造である。この実施例は、屋根板本体２０が実質的に不燃性である場合により有用であるかもしれない。実質的に不燃性の屋根板本体２０の一例は、そのいずれかの面に複数のガラス層を有する積層構造であろう。
【００４０】
図２８−３２のＰＶ屋根板アセンブリ１８は、ＰＶモジュールアセンブリ１８６と、一対のブラケットアセンブリ１８８とを有する。ＰＶモジュールアセンブリは、ハニカム材のブロックから成る雨よけ１９０を有する。このハニカム材は、それらの軸心が揃えられた状態で互いに接合された複数のプラスチックのワラと見なすことができる。ハニカム材を貫通する通路の断面直径は、好ましくは３−６ｍｍの範囲である。この通路は、同じ直径、又は異なる直径の円形、六角形、又はその他の矩形又は不規則な断面形状を有するものとすることができる。この通路の軸心は、エッジ部材９６及びエッジ部材９８に対してほぼ平行である。テストにより、表面張力によってこれらの通路には雨が全く、又はほとんど通過しないことが示された。これによって、水が雨よけ１９０を超えて流入することが防止される。但し、雨の無い状態では、前面１９２の全体が（図３１参照）、屋根板本体２０を冷却するべく雨よけ１９０を通る空気流に対して実質的に開放されている。
【００４１】
この示した実施例において、雨よけ１９０は、通常は接着剤で、下方表面２４に固定されている。雨よけ１９０は、上方エッジ２６に沿って、屋根板本体２０の上方表面２２に固定することも可能である。又、雨よけ１９０は、ＰＶアセンブリが支持表面１１に取付けられた後に、隣接するＰＶアセンブリ１８のオーバラップ部分の間に固定される別体の部材として構成することも可能である。
【００４２】
また、ＰＶモジュールアセンブリ１８６は、各ブラケットアセンブリ１８８の屋根板本体２０の下方表面２４に固定された取り付けブラケット１９４を有する（図３０参照）。この取り付けブラケット１９４は、通常は、ネジ（図示せず）を使用して、ブラケットアセンブリ１８８の下方インタロック部材１５０を屋根板本体２０の下方表面２４に固定するために使用される。支持表面１１上に取り付けられると、ＰＶモジュールアセンブリ１８６を、取り付けブラケット１９４から取り外すことができ、取り付けブラケット１３６を支持表面１１に固定された状態で残したまま取り外すことができる。
【００４３】
図２８−３２のＰＶ屋根板アセンブリ１８に導入可能な部材、具体的には、エッジ部材９６及びエッジ部材９８と、雨よけ１９０は、非伝導性材から形成されると好適である。このような構成とすれば、接地が不要となり大きな利点となりうる。更に、エッジ部材９６及びエッジ部材９８と、雨よけ１９０は、低い可燃性を有すると好適である。更に、エッジ部材９６及びエッジ部材９８は、良好な耐候性を有すると好適である。エッジ部材９６及びエッジ部材９８用として好適な材料は、Dow-Corning Silastic（登録商標）21180等の、一部のシリコーンゴムや、TSE Industriesから入手可能な防火EPDM、及びセラミックスなどがある。われわれは、GE Lexan（登録商標）950、950A、953等の一部のポリカーボネートが雨よけ用の良好な材料であることを見出した。
【００４４】
本仕様書の請求項に定義された発明の課題から逸脱することなく、本仕様書に開示された実施例に対してその他の改変、改造を行うことが可能である。例えば、各アセンブリ１８の下方エッジを支持表面に固定が不要となる、ＰＶ屋根板アセンブリ１９を互いにインタロックさせる代わりに、各アセンブリ１８を適当な支持構造を、それらの下方エッジとそれらの上方エッジとに沿って、例えば釘やネジを使用して、支持表面１１に固定することも可能である。即ち、この場合、各ＰＶ屋根板アセンブリ１８は、通常、それらの上方エッジ及び下方エッジ、又は、それらの側方エッジに沿って、互いに独立して支持表面に固定されることになる。又、前方片１０４を、例えば、防火シールド９０に取り外し可能に固定されることによって、エッジ部材９６及びエッジ部材９８に間接的に接続又は結合させることが可能である。又、前方片１０４に、下方エッジ２８の全長に亘って延長しない構造、例えば、エッジ部材９６及びエッジ部材９８と、防火シールド９０の１つ、いくつか、又は全部に係合する単数又は複数のクリップ等を備えさせてもよい。更に、前方片１０４を、例えばエッジ部材９６及びエッジ部材９８から取り外された後に、屋根板本体２０に固定されたままにすることも可能である。
【００４５】
以下、本発明に係る屋根板アセンブリの好適な実施形態の一例を記載する。
（１）支持ブラケットの下端部は、屋根板本体の下方エッジに係合するクリップを含むと好適である。
【００４６】
（２）また、第１屋根板アセンブリ及び第２屋根板アセンブリは、第１支持ブラケット及び第２支持ブラケットを有し、これら第１支持ブラケット及び第２支持ブラケットは側方に離間していると好適である。
【００４７】
（３）また、支持ブラケットは、第1側方エッジ及び第２側方エッジから離間していると好適である。
【００４８】
（４）また、建物表面は、防水／放射性バリアを含むと好適である。
【００４９】
上述したすべての特許、特許出願及び印刷刊行物を参考文献として挙げる。
【図面の簡単な説明】
【００５０】
【図１】本発明によって作成された屋根板アセンブリのアレイを備えるルーフィングシステムの全体を示す図
【図２】図１の屋根板アセンブリの上方斜視図
【図３】図１の屋根板アセンブリの下方斜視図
【図４】図２の屋根板アセンブリの右側面を示す図
【図５】図１のルーフィングシステムの屋根板アセンブリの列の側面を示す図
【図６】図５の構造の一部を拡大した図
【図７】上方及び下方屋根板アセンブリの支持ブラケットの上方及び下方端部のインタロックを明瞭性のために一部除去して示す底面図
【図８】上方及び下方屋根板アセンブリのオーバラップ端部を示す上方斜視図
【図９】図５−８のパン水切り部材を、側方に隣接する屋根板本体の側方エッジと共に示す図６の９−９線断面を示す図
【図１０】図５−９のパン水切り部材の別実施例の上観を示す図
【図１１】図５−９のパン水切り部材の別実施例の側面を示す図
【図１２】図５−９のパン水切り部材の別実施例の上方斜視図
【図１３】図３に類似の図１−９の屋根板アセンブリの別実施例を示す図
【図１４】図５に類似の図１−９の屋根板アセンブリの別実施例を示す図
【図１５】上方ＰＶ表面上の作用領域が一連の四角形によって図示されている別実施例の上方斜視図
【図１６】ルーフィングシステムの一部としての屋根板敷きオーバラップ構造の第１及び第２屋根板アセンブリの平面図であって、電気線が第１屋根板アセンブリの側方エッジから延出している状態を示す図
【図１７】諸部材の幅が縮小された状態で図示されている図１５の屋根板アセンブリの非分解等角図
【図１８】図１５の屋根板アセンブリの上方平面図
【図１９】図１５の屋根板アセンブリの前方立面図
【図２０】図１９の２０−２０線断面図
【図２１】ＰＶ本体と、第１及び第２相互係合エッジ部材に接続された防火シールドを図示する図１８の２１−２１線断面拡大図
【図２２】ＰＶ本体と、第１及び第２相互係合エッジ部材に接続された防火シールドを図示する図１８の２２−２２線断面拡大図
【図２３】幅が縮小された状態で図示されている図１５の屋根板アセンブリの部分右側、平面、前方断面図
【図２４】前方片をエッジ部材に固定するネジを除去した後の図１５の屋根板アセンブリを図示し、エッジ部材の溝の間でのＰＶ本体のスライドを示す図
【図２５】前方片とＰＶ本体の除去後の図２４の構造の上方平面図
【図２６】図１６の２６−２６線断面拡大図であって、相互係合するＰＶ屋根板アセンブリによって形成される通気路を示す図
【図２７】通気路が下方防火シールド表面に沿って延出するように、防火シールドと下方ＰＶ表面との間に小さなギャップが存在する、若しくはギャップが存在しない別実施例の図２２に類似する拡大断面図
【図２８】図１５−２７の実施例のように防火シールドを使用しないＰＶ屋根板アセンブリの別実施例の上方斜視図
【図２９】図２８のアセンブリの下方斜視図
【図３０】図２９のアセンブリの一部分解下方斜視図であって、ＰＶモジュールアセンブリと一対のアセンブリのブラケットを示す図
【図３１】図２８のアセンブリの前方立面図
【図３２】図２８の二つの屋根板アセンブリの相互係合の断面を示す図
【図１】
0004781354.tif 000002
【図２】
0004781354.tif 000003
【図３】
0004781354.tif 000004
【図４】
0004781354.tif 000005
【図５】
0004781354.tif 000006
【図６】
0004781354.tif 000007
【図７】
0004781354.tif 000008
【図８】
0004781354.tif 000009
【図９】
0004781354.tif 000010
【図１０】
0004781354.tif 000011
【図１１】
0004781354.tif 000012
【図１２】
0004781354.tif 000013
【図１３】
0004781354.tif 000014
【図１４】
0004781354.tif 000015
【図１５】
0004781354.tif 000016
【図１６】
0004781354.tif 000017
【図１７】
0004781354.tif 000018
【図１８】
0004781354.tif 000019
【図１９】
0004781354.tif 000020
【図２０】
0004781354.tif 000021
【図２１】
0004781354.tif 000022
【図２２】
0004781354.tif 000023
【図２３】
0004781354.tif 000024
【図２４】
0004781354.tif 000025
【図２５】
0004781354.tif 000026
【図２６】
0004781354.tif 000027
【図２７】
0004781354.tif 000028
【図２８】
0004781354.tif 000029
【図２９】
0004781354.tif 000030
【図３０】
0004781354.tif 000031
【図３１】
0004781354.tif 000032
【図３２】
0004781354.tif 000033